(57)【要約】【課題】  魚類の孵化事業を成功させるためには、受精直後から孵化までの魚卵の管理が重要である。現在の孵化事業では、種苗を生産するために孵化場より魚卵を移動しており、受精卵がその移動中に破壊されないようにすることが必要となる。本発明は、魚類の孵化放流事業における受精卵の卵膜軟化防止、取り扱い向上、その後の孵化まで卵育中におこる卵膜軟化、及び食用魚卵の流通過程での卵膜軟化による歩留まり低下抑制、食感改良及び保存性向上を可能とすることを目的とする。【解決手段】  本発明は、カテキン類及び／又はキナ酸、もしくはカテキン類及び／又はキナ酸と没食子酸で魚卵を処理することにより上記課題を解決する。【選択図】  なし【特許請求の範囲】
【請求項１】
カテキン類及び／又はキナ酸を含有することを特徴とする魚卵処理剤。
【請求項２】
さらに、没食子酸を含有することを特徴とする請求項１記載の魚卵処理剤。
【請求項３】
カテキン類が（＋）−ガロカテキン、（−）−エピガロカテキン、（＋）−カテキン、（−）−エピガロカテキンガレート、（−）−エピカテキン、（−）−ガロカテキンガレート、（−）−エピカテキンガレート、（−）−カテキンガレート、遊離型テアフラビン、テアフラビンモノガレートＡ、テアフラビンモノガレートＢ及びテアフラビンジガレートの群より選ばれる一種又は二種以上であることを特徴とする請求項１または２記載の魚卵処理剤。
【請求項４】
固形分中のカテキン類の含量が２０〜５０重量％及び／又はキナ酸の含量が１〜１０重量％、没食子酸の含量が０〜１重量％であることを特徴とする請求項１〜３いずれか記載の魚卵処理剤。
【請求項５】
カテキン類中の総エピ体の含量が総カテキン類の７０重量％以上であることを特徴とする請求項１〜４いずれか記載の魚卵処理剤。
【請求項６】
カテキン類が（−）−エピガロカテキンガレートであることを特徴とする請求項１〜５いずれか記載の魚卵処理剤。
【請求項７】
魚卵が、サケ目、ニシン目、タラ目、トビウオ目、キュウリウオ目、スズキ目及びカレイ目のいずれかの魚類由来であることを特徴とする請求項１〜６いずれか記載の魚卵処理剤。
【請求項８】
魚卵が、サケ、カラフトマス、サクラマス（別名：ヤマメ）、サツキマス（別名：アマゴ）、ビワマス、ベニザケ（別名：ヒメマス）、ギンザケ、マスノスケ、ニジマス、タイセイヨウサケ、ブラウントラウト、オショロコマ、ミヤベイワナ、アメマス（別名：エゾイワナ）、ニッコウイワナ、ヤマトイワナ、ゴギ、カワマス、レイクトラウト、イトウ、ニシン、スケトウダラ、トビウオ、ワカサギ、ハタ及びヒラメのいずれかの魚類由来であることを特徴とする請求項１〜７いずれか記載の魚卵処理剤。
【請求項９】
請求項１〜８いずれか記載の魚卵処理剤で処理された魚卵。
【発明の詳細な説明】
【技術分野】
【０００１】
本発明は、カテキン類及び／又はキナ酸、もしくはカテキン類及び／又はキナ酸と没食子酸で魚卵を処理することで魚類の孵化放流事業における受精卵の卵膜軟化防止、取り扱い向上、及び食用魚卵の流通過程での卵膜軟化による歩留まり低下抑制、食感改良及び保存性向上の技術に関する。
【背景技術】
【０００２】
食糧資源の確保のために日本をはじめ、世界各国で魚類の孵化事業が行われている。例えば、サケ及びマス類は世界各国で消費されており、日本では北日本を中心に主要な漁業資源とされている。これらは人工孵化放流により維持されており、放流用種苗の安定生産が重要である。
このことより、魚類の孵化事業を成功させるためには、受精直後から孵化までの魚卵の管理が重要である。現在の孵化事業では、種苗を生産するために孵化場より魚卵を移動しており、受精卵がその移動中に破壊されないようにすることが必要となる。この受精卵の時期に発生する疾病に卵膜軟化症がある。受精卵がこの疾病に罹患すると卵圧が低下、発眼率の低下、死卵の増加及び孵化率の低下を招き、その後の種苗生産が低下し、放流種苗の安定生産に影響し、しいては食料資源の確保に多大な影響を及ぼす。これらのことから卵膜軟化症により卵膜が軟化されないような受精卵の生産技術が望まれている。
【０００３】
従来、卵膜軟化症には過マンガン酸カリウムの処理が有効であることが昭和３年に確認されて以来、この方法が用いられている（例えば、非特許文献１参照。）。しかしながら、この薬剤は、消防法では酸化性固体に分類される危険物である。また、過マンガン酸カリウムに含まれているマンガンは、ヒトにとって微量元素であるが、過剰摂取するとパーキンソン氏病に罹患することも指摘されており、その安全性に大きな問題がある。
【０００４】
一方、生鮮加工食品として食卓に並ぶ食用魚卵としては、イクラや数の子、明太子等の生鮮加工食品がある。これらの食用加工魚卵は、産地から消費地まで輸送されるが、その途中での魚卵の崩れは商品価値が下がる問題がある。さらには、食用魚卵の保存中の軟化による商品価値の低下も問題となっている。
【０００５】
これまで食用魚卵の軟化防止に関しては、生又は冷凍の魚卵をリン酸塩又は／及びタンニン酸を食塩水に少量溶解して成る処理液に浸漬処理することを特徴とする魚卵の改質方法（例えば、特許文献１参照。）、塩数の子の一般的な製造において、どうしても硬くならない軟質の数の子に対して塩固めの食塩水に硫酸カルシウム、塩化カルシウム及び塩化マグネシウムの単品又はこれらの複合品を０．０５〜１％の範囲で添加し、さらにこの溶液に硫酸アルミニウムカリウム、フマル酸モノナトリウム及びクエン酸などの有機酸の単品及び複合品を添加した溶液のｐＨ３．５〜４．５の等電点附近に調整した飽和食塩水で卵質を硬く凝固させることを特徴とした塩数の子の製造方法（例えば、特許文献２参照。）、及びプロタミン若しくはソーマチンで魚卵を処理するか、又は１〜１０％のポリリジンを含む溶液に魚卵を浸漬することによって魚卵を処理することを特徴とする、魚卵における卵粒の保型性を向上させる方法（例えば、特許文献３参照。）等の技術が開示されている。
【０００６】
これらの技術は、無機塩類の過剰摂取、プロタミンやソーマチンのようなタンパク質によるアレルギーの問題、食用魚卵に対する風味の問題等があり好ましくない。
このようなことより、魚卵が軟化しない品質の向上した魚卵の提供が人工孵化事業や食用魚卵産業より望まれていることが現状である。
【０００７】
【特許文献１】特開平０６−１８１７２０号公報（第２頁−第３頁）
【特許文献２】特開昭６２−１１８８６８号公報（第１頁−第２頁）
【特許文献３】特許第３６４８３３４号公報（第１頁−第２頁）
【非特許文献１】小林美樹：今月の講座  北海道立水産孵化場の歴史と新たなるスタート，育てる漁業，Ｎｏ．３８０，３−７（２００５）
【発明の開示】
【発明が解決しようとする課題】
【０００８】
本発明は、カテキン類及び／又はキナ酸、もしくは、カテキン類及び／又はキナ酸と没食子酸で魚卵を処理することで魚類の孵化放流事業における受精卵の卵膜軟化防止、取り扱い向上、及び食用魚卵の流通過程での卵膜軟化による歩留まり低下抑制、食感改良及び保存性向上が可能となる魚卵処理剤及びこれで処理した魚卵を供することにある。
【課題を解決するための手段】
【０００９】
本発明者らは、魚卵の軟化を防止することを目的として鋭意研究を重ねた結果、カテキン類及び／又はキナ酸、もしくは、カテキン類及び／又はキナ酸と没食子酸が上記目的課題を解決することを見出し、本発明を完成するに至った。すなわち、本発明は、カテキン類及び／又はキナ酸、もしくはカテキン類及び／又はキナ酸と没食子酸を含有することを特徴とする魚卵処理剤、及び該処理剤で処理して得られた魚卵に関するものである。
【発明の効果】
【００１０】
本発明の魚卵処理剤及びこれで処理した魚卵によれば、魚類の人工孵化事業における受精卵から、孵化に至る時期に発生する卵膜軟化症を防止できること、または食用加工魚卵の保存中や産地から消費地まで輸送途中の軟化による商品価値の低下を抑制することが可能となる。
【発明を実施するための最良の形態】
【００１１】
本発明の魚卵処理剤とは、カテキン類及び／又はキナ酸、もしくはカテキン類及び／又はキナ酸と没食子酸を含有するものを指す。
【００１２】
本発明の魚卵処理剤のカテキン類及び／又はキナ酸の割合は特に限定されないが、魚卵処理剤の効果の観点から、好ましくは固形分中でカテキン類の含量が２０〜５０重量％及び／又はキナ酸の含量が１〜１０重量％の割合であり、さらに好ましくは固形分中でカテキン類の含量が２５〜４５重量％及び／又はキナ酸の含量が２〜８重量％であり、最も好ましくは固形分中でカテキン類の含量が２８〜４３重量％及び／又はキナ酸の含量が３．５〜７．５重量％の割合である。本発明の魚卵処理剤の没食子酸の割合も特に限定されないが、魚卵処理剤の効果の観点からカテキン類及び／又はキナ酸に、固形分中で好ましくは没食子酸の含量が０〜１重量％、さらに好ましくは０．１〜０．７重量％、最も好ましくは没食子酸の含量が０．１５〜０．６５重量％である。
【００１３】
本発明のカテキン類とは、特に限定されないが、本発明の魚卵処理剤の効果の観点から好ましくは（＋）−ガロカテキン、（−）−エピガロカテキン、（＋）−カテキン、（−）−エピガロカテキンガレート、（−）−エピカテキン、（−）−ガロカテキンガレート、（−）−エピカテキンガレート、（−）−カテキンガレート、遊離型テアフラビン、テアフラビンモノガレートＡ、テアフラビンモノガレートＢ及びテアフラビンジガレートの一種又は二種以上であり、さらに好ましくは総カテキン類に対して総エピ体の含量が７０重量％以上のものであり、最も好ましくは（−）−エピガロカテキンガレートである。あるいは、これらのカテキン類の誘導体でもよい。
【００１４】
本発明のカテキン類及び／又はキナ酸と没食子酸は、天然物、化学合成品及び醗酵生産物等、特に限定されないが、原料確保の観点より天然物が好ましく、最も好ましくは、ツバキ科植物由来のものである。ツバキ科植物の中でも茶（Ｃａｍｅｌｌｉａ  ｓｉｎｅｎｓｉｓ  Ｌ．）が好ましく、特に緑茶、ウーロン茶及び紅茶が好ましく、最も好ましくは緑茶である。天然物由来の場合、天然物そのまま、抽出物あるいは抽出残渣を用いてもよく、特に限定されない。天然物からの抽出物の場合、熱水抽出画分以外にもアルコール、酢酸エチル、石油エーテル等の有機溶媒による溶剤抽出画分、水蒸気蒸留画分、圧搾画分、樹脂吸着画分、液化ガス抽出画分、超臨界抽出画分、乾留画分により得られる抽出物でも問題はない。また、天然物そのまま、抽出物及び抽出残渣を用いる場合、水、エタノール等の溶媒で溶液状としてもよく、また界面活性剤や安定剤等を用いた分散溶液としてもよい。
【００１５】
本発明の魚卵処理剤のカテキン類及び没食子酸の測定方法は、特に限定されないが、測定感度の観点より高速液体クロマトグラフィーを用いる方法が好ましい。高速液体クロマトグラフィーでの測定方法は、検出器は紫外吸収（測定波長２８０ｎｍ）、カラムは逆相カラム、カラム温度は４０℃、移動相はメタノール／水／リン酸：１７／８３／０．５（ｖ／ｖ／ｖ）、流速は０．８ｍＬ／ｍｉｎが例示できる。
【００１６】
本発明の魚卵処理剤のキナ酸の測定方法は特に限定されないが、測定感度の観点より高速液体クロマトグラフィーを用いる方法が好ましい。高速液体クロマトグラフィーでの測定方法は、０．２ｍＭブロムチモールブルー含有１５ｍＭリン酸水素ニナトリウム溶液によるポストカラム法、検出器は可視光（測定波長４４５ｎｍ）、カラムは逆相カラム、カラム温度は４０℃、移動相は０．７５ｍＭ硫酸であり、移動相の流速は０．８ｍＬ／ｍｉｎ、反応液の流速は０．８ｍＬ／ｍｉｎが例示できる。
【００１７】
本発明の魚卵の軟化とは、魚卵の卵膜の軟化を指し、好ましくは受精卵から孵化までの卵膜軟化症、ｓｏｆｔ−ｅｇｇ  ｄｉｓｅａｓｅ及び食用魚卵の保存中及び輸送が原因で生じる魚卵の卵膜の軟化を指す。
【００１８】
本発明の魚卵とは、特に限定されないが、好ましくは、人工孵化事業及び食用に供される魚類由来、さらに好ましくは、商業的に価値のある魚目のサケ目、ニシン目、タラ目、トビウオ目、キュウリウオ目、スズキ目及びカレイ目の魚類由来のものである。具体的にはサケ、カラフトマス、サクラマス  （ヤマメ）、サツキマス  （アマゴ）、ビワマス、ベニザケ  （ヒメマス）、ギンザケ、マスノスケ、ニジマス、タイセイヨウサケ、ブラウントラウト、オショロコマ、ミヤベイワナ、アメマス  （エゾイワナ）、ニッコウイワナ、ヤマトイワナ、ゴギ、カワマス、レイクトラウト、イトウ、ニシン、スケトウダラ、トビウオ、ワカサギ、ハタ及びヒラメが例示できる。
【００１９】
本発明の魚卵処理剤は、粉末品、顆粒品、打錠品、シロップ品及び液体品のいずれの形態でもよい。使用方法の観点より、好ましくはシロップ品及び液体品であり、最も好ましくは液体品である。液体品の場合は、溶解性や使用方法の観点より、好ましくは水溶液、酢酸水溶液、アルコール溶液、アルコール水溶液及び食塩水である。液体品の場合の該処理剤の濃度は、特に限定されないが、カテキン類として、使用方法の観点より、固形分中に好ましくは１〜８０％、さらに好ましくは５〜５０％、最も好ましくは１０〜２０％である。
【００２０】
本発明の魚卵処理剤は、これらの形態を維持するために食塩、糖類、デキストリン、アルコール、水、食塩水及び有機酸等の通常の増量剤や希釈液として用いる物質を併用することも可能である。
【００２１】
本発明の魚卵処理剤は、その使用方法は特に限定されないが、効果の発現の観点から好ましくは滴下・かけ流し処理及び浸漬処理である。滴下・かけ流し処理の場合、例えば１回３０分の処理を１週間に２回の方法等が例示できる。浸漬処理の場合は、例えば６０分間等の浸漬時間が例示できる。
【００２２】
本発明の魚卵処理剤で処理した魚卵の卵膜の軟化を測定する指標は特に限定されないが、例えばハードネスメーターを用いる耐圧重量及びＡｌｄｅｒｄｉｃｅ  ｅｔ．ａｌ（Ａｌｄｅｒｄｉｃｅ  ＤＦ，Ｊｅｎｓｅｎ  ＪＯＴ，Ｖｅｌｓｅｎ  ＦＰＪ：Ｍｅａｓｕｒｅｍｅｎｔ  ｏｆ  ｈｙｄｒｏｓｔａｔｉｃ  ｐｒｅｓｓｕｒｅ  ｉｎ  ｓａｌｍｏｎｉｄ  ｅｇｇｓ．Ｃａｎ．Ｊ．Ｚｏｏｌ．，６２，１９７７−１９８７（１９８４））の報告している眼球内の圧力を測定する原理を用いて測定する方法により測定することが例示できる。
【００２３】
以下、実施例により詳細に説明する。
【実施例】
【００２４】
実施例１
茶葉１トンを８５℃の熱水２０ＫＬで３０分撹拌しながら抽出し、茶葉を濾過により除き１７ＫＬの抽出液を得た。この液を限外濾過装置（ＤＤＳ社製、膜タイプＧＲ−８１ＰＰ、分画分子量６０００）を用いて通過液１５ＫＬを得た。濃縮残液に水５ＫＬを加え同様に操作し、通過液６ＫＬを得た。両液を合わせ逆浸透膜（ＤＤＳ社製、膜タイプＨＣ−５０）により濃縮し、濃縮液１ＫＬを得た。濃縮液を噴霧乾燥し、本発明品を３５３ｋｇ得た（本発明品１）。
【００２５】
本発明品１のカテキン類及び没食子酸を表１で示した測定条件を用いて高速液体クロマトグラフィーで定量した。その結果、総カテキン類及び没食子酸は、それぞれ３２．３９％及び０．３４％であった。それぞれのカテキン類の内訳は、（＋）−ガロカテキンが１．３５％、（−）−エピガロカテキンが４．９０％、（＋）−カテキンが１．３８％、（−）−エピガロカテキンガレートが１４．３６％、（−）−エピカテキンが４．１４％、（−）−ガロカテキンガレートが０．５９％、（−）−エピカテキンガレートが５．６７％、（−）−カテキンガレートが０％、遊離型テアフラビンが０％、テアフラビンモノガレートＡが０％、テアフラビンモノガレートＢが０％及びテアフラビンジガレートであった。総カテキン類に対して総エピ体の含量を計算すると８９．７３％であった。また、本発明品１のキナ酸を表２で示した測定条件を用いて、高速液体クロマトグラフィーにより測定したところ、その含量は４．３％であった。
【００２６】
【表１】
2007135507.tif 000002
【００２７】
【表２】
2007135507.tif 000003
【００２８】
実施例２
実施例１で得た本発明品１の魚卵処理剤（１００ｋｇ）を軟水１００ｋｇに攪拌しながら溶解し、水溶液の形態とした。つまり、本発明品１の水溶液を２００ｋｇ調製した（本発明品１の水溶液）。
【００２９】
試験例１
サケの卵を満たした５０万粒ボックス型孵化槽１列（段数：４段）計２００万粒に、本発明品１を４０％エタノール水溶液に０．１％になるように調製した溶液を滴下・かけ流し処理を行った。滴下・かけ流し処理は、１回３０分、１週間に２回、１ヶ月間（合計８回の処理）を行った。対照として、同様の試験を４０％エタノール溶液で実施した。卵膜の軟化は、ハードネスメーターを用いる耐圧重量で測定した。
その結果を表３に示した。
【００３０】
【表３】
2007135507.tif 000004
【００３１】
表３に示したように、処理直前の耐圧重量は、本発明品１は４，４５６ｇ／ｃｍ２及び対照区が４，４１６ｇ／ｃｍ２であった。しかしながら、１ヶ月の処理終了後のそれは、本発明品１は４，５０１ｇ／ｃｍ２及び対照区が３，９８５ｇ／ｃｍ２となり、本発明品１で処理することにより卵膜軟化を抑制することができた。
【００３２】
試験例２
サケの卵を満たした５０万粒ボックス型孵化槽１列（段数：３段）計１５０万粒に、実施例２で調製した本発明品１の水溶液を淡水で５００倍に希釈した。この希釈液を滴下・かけ流し処理を行った。滴下・かけ流し処理は、１回３０分、１週間に２回、１ヶ月間（合計８回の処理）を行った。対照として、同様の試験を淡水で実施した。卵膜の軟化は、ハードネスメーターを用いる耐圧重量で測定した。
その結果を表４に示した。
【００３３】
【表４】
2007135507.tif 000005
【００３４】
表３に示したように、処理直前の耐圧重量は、本発明品１の水溶液は４，４００ｇ／ｃｍ２及び対照区が４，４１３ｇ／ｃｍ２であった。しかしながら、１ヶ月の処理終了後のそれは、本発明品１の水溶液は４，５３３ｇ／ｃｍ２及び対照区が３，８９３ｇ／ｃｍ２となり、本発明品１の水溶液で処理することにより卵膜軟化を抑制することができた。
【００３５】
試験例３
実施例１で調製した本発明品１を０．３％となるように淡水に溶解させた溶液１６００リットルとカラフトマスの魚卵４０万粒を用いて、浸漬試験を実施した。浸漬は、魚卵収容時及び積算水温１００℃の２回実施した。浸漬時間は６０分とし、孵化槽よりあふれた溶液は、循環ポンプで循環させた。尚、対照区は、淡水を用いて同様のことを実施した。積算水温４２０℃の時の卵圧を測定した。卵圧は、Ａｌｄｅｒｄｉｃｅ  ｅｔ．ａｌ（Ａｌｄｅｒｄｉｃｅ  ＤＦ，Ｊｅｎｓｅｎ  ＪＯＴ，Ｖｅｌｓｅｎ  ＦＰＪ：Ｍｅａｓｕｒｅｍｅｎｔ  ｏｆ  ｈｙｄｒｏｓｔａｔｉｃ  ｐｒｅｓｓｕｒｅ  ｉｎ  ｓａｌｍｏｎｉｄ  ｅｇｇｓ．Ｃａｎ．Ｊ．Ｚｏｏｌ．，６２，１９７７−１９８７（１９８４））の報告している眼球内の圧力を測定する原理を用いて測定した。
その結果を表４に示した。
【００３６】
【表５】
2007135507.tif 000006
【００３７】
表４に示したように、積算水温４２０℃での卵圧は、本発明品１で浸漬すると２，４６５ｇ／ｃｍ２であり、対照区では１，１１８ｇ／ｃｍ２であった。このことより、本発明品１は、孵化後の卵膜の軟化を抑制することを認めた。
【００３８】
試験例４
冷凍イクラ５０ｇを、飽和食塩水４０ｍｌに実施例１で調製した本発明品１を０．０２％添加して溶解調製した処理液に５分間浸漬し、ザルに揚げ、水切りして処理品とした。その処理品を４℃で１週間保存し、官能評価を実施した。尚、対照区として飽和食塩水を用いた。
その結果を表６に示した。
【００３９】
【表６】
2007135507.tif 000007
【００４０】
表６に示したように、本発明品１で処理したイクラは、保存中の卵膜の軟化を抑制し、それによるドリップの発生も少なくなり、色つやが良好であった。
【００４１】
以上、実施例１及び実施例２、試験例１〜４より、本発明品の魚卵処理剤は魚類の孵化放流事業における受精卵の卵膜軟化防止、取り扱い向上、及び食用魚卵の流通過程での卵膜軟化による歩留まり低下抑制、食感改良及び保存性向上が明らかとなった。
【００４２】
本発明の実施形態ならびに目的生成物を挙げれば以下の通りである。
（１）カテキン類及び／又はキナ酸を含有することを特徴とする魚卵処理剤。
（２）さらに、没食子酸を含有することを含有することを特徴とする前記１記載の魚卵処理剤。
（３）カテキン類が（＋）−ガロカテキン、（−）−エピガロカテキン、（＋）−カテキン、（−）−エピガロカテキンガレート、（−）−エピカテキン、（−）−ガロカテキンガレート、（−）−エピカテキンガレート、（−）−カテキンガレート、遊離型テアフラビン、テアフラビンモノガレートＡ、テアフラビンモノガレートＢ及びテアフラビンジガレートの一種又は二種以上であることを特徴とする前記（１）及び（２）いずれか記載の魚卵処理剤。
（４）カテキン類が（＋）−ガロカテキン、（−）−エピガロカテキン、（＋）−カテキン、（−）−エピガロカテキンガレート、（−）−エピカテキン、（−）−ガロカテキンガレート、（−）−エピカテキンガレート及び（−）−カテキンガレートの一種又は二種以上であることを特徴とする前記（１）及び（２）いずれか記載の魚卵処理剤。
（５）カテキン類の含量が２０〜５０重量％及び／又はキナ酸の含量が１〜１０重量％と没食子酸の含量が０〜１重量％であることを特徴とする前記（１）〜（４）いずれか記載の魚卵処理剤。
【００４３】
（６）カテキン類の含量が２５〜４５重量％及び／又はキナ酸の含量が２〜８重量％と没食子酸の含量が０．１〜０．７重量％であることを特徴とする前記（１）〜（４）いずれか記載の魚卵処理剤。
（７）カテキン類の含量が２８〜４３重量％及び／又はキナ酸の含量が３．５〜７．５重量％と没食子酸の含量が０．１５〜０．６５重量％であることを特徴とする前記（１）〜（４）いずれか記載の魚卵処理剤。
（８）カテキン類中の総エピ体の含量が総カテキン類の７０重量％以上であることを特徴とする前記（１）〜（７）いずれか記載の魚卵処理剤。
（９）カテキン類の含量が（−）−エピガロカテキンガレートであることを特徴とする前記（１）〜（８）いずれか記載の魚卵処理剤。
（１０）魚卵処理剤の形態が粉末、顆粒、錠剤、シロップ及び液体より選ばれる前記（１）〜（９）いずれか記載の魚卵処理剤。
【００４４】
（１１）魚卵処理剤の形態が粉末である前記（１）〜（９）いずれか記載の魚卵処理剤。
（１２）魚卵処理剤の形態が顆粒である前記（１）〜（９）いずれか記載の魚卵処理剤。
（１２）魚卵処理剤の形態が錠剤である前記（１）〜（９）いずれか記載の魚卵処理剤。
（１３）魚卵処理剤の形態がシロップである前記（１）〜（９）いずれか記載の魚卵処理剤。
（１４）魚卵処理剤の形態が液体である前記（１）〜（９）いずれか記載の魚卵処理剤。
（１５）魚卵処理剤の形態が水溶液である前記（１）〜（９）いずれか記載の魚卵処理剤。
【００４５】
（１６）魚卵処理剤の形態が酢酸水溶液である前記（１）〜（９）いずれか記載の魚卵処理剤。
（１７）魚卵処理剤の形態がアルコール水溶液である前記（１）〜（９）いずれか記載の魚卵処理剤。
（１８）魚卵処理剤の形態がエタノール水溶液である前記（１）〜（９）いずれか記載の魚卵処理剤。
（１９）魚卵が、サケ目、ニシン目、タラ目、トビウオ目、キュウリウオ目、スズキ目及びカレイ目のいずれかの魚類由来であることを特徴とする前記（１）〜（１８）いずれか記載の魚卵処理剤。
（２０）魚卵が、サケ目の魚類由来であることを特徴とする前記（１）〜（１８）いずれか記載の魚卵処理剤。
【００４６】
（２１）魚卵が、ニシン目の魚類由来であることを特徴とする前記（１）〜（１８）いずれか記載の魚卵処理剤。
（２２）魚卵が、タラ目の魚類由来であることを特徴とする前記（１）〜（１８）いずれか記載の魚卵処理剤。
（２３）魚卵が、トビウオ目の魚類由来であることを特徴とする前記（１）〜（１８）いずれか記載の魚卵処理剤。
（２４）魚卵が、キュウリウオ目の魚類由来であることを特徴とする前記（１）〜（１８）いずれか記載の魚卵処理剤。
（２５）魚卵が、スズキ目の魚類由来であることを特徴とする前記（１）〜（１８）いずれか記載の魚卵処理剤。
【００４７】
（２６）魚卵が、カレイ目の魚類由来であることを特徴とする前記（１）〜（１８）いずれか記載の魚卵処理剤。
（２７）魚卵が、サケ、カラフトマス、サクラマス（別名：ヤマメ）、サツキマス（別名：アマゴ）、ビワマス、ベニザケ（別名：ヒメマス）、ギンザケ、マスノスケ、ニジマス、タイセイヨウサケ、ブラウントラウト、オショロコマ、ミヤベイワナ、アメマス（別名：エゾイワナ）、ニッコウイワナ、ヤマトイワナ、ゴギ、カワマス、レイクトラウト、イトウ、ニシン、スケトウダラ、トビウオ、ワカサギ、ハタ及びヒラメのいずれかの魚類由来であることを特徴とする前記（１）〜（１８）いずれか記載の魚卵処理剤。
（２８）魚卵が、サケ由来であることを特徴とする前記（１）〜（１８）いずれか記載の魚卵処理剤。
（２９）魚卵が、カラフトマス由来であることを特徴とする前記（１）〜（１８）いずれか記載の魚卵処理剤。
（３０）魚卵が、サクラマス（別名：ヤマメ）由来であることを特徴とする前記（１）〜（１８）いずれか記載の魚卵処理剤。
【００４８】
（３１）魚卵が、サツキマス（別名：アマゴ）由来であることを特徴とする前記（１）〜（１８）いずれか記載の魚卵処理剤。
（３２）魚卵が、ビワマス由来であることを特徴とする前記（１）〜（１８）いずれか記載の魚卵処理剤。
（３３）魚卵が、ベニザケ（別名：ヒメマス）由来であることを特徴とする前記（１）〜（１８）いずれか記載の魚卵処理剤。
（３４）魚卵が、ギンザケ由来であることを特徴とする前記（１）〜（１８）いずれか記載の魚卵処理剤。
（３５）魚卵が、マスノスケ由来であることを特徴とする前記（１）〜（１８）いずれか記載の魚卵処理剤。
【００４９】
（３６）魚卵が、ニジマス由来であることを特徴とする前記（１）〜（１８）いずれか記載の魚卵処理剤。
（３７）魚卵が、タイセイヨウサケ由来であることを特徴とする前記（１）〜（１８）いずれか記載の魚卵処理剤。
（３８）魚卵が、ブラウントラウト由来であることを特徴とする前記（１）〜（１８）いずれか記載の魚卵処理剤。
（３９）魚卵が、オショロコマ由来であることを特徴とする前記（１）〜（１８）いずれか記載の魚卵処理剤。
（４０）魚卵が、ミヤベイワナ由来であることを特徴とする前記（１）〜（１８）いずれか記載の魚卵処理剤。
【００５０】
（４１）魚卵が、アメマス（別名：エゾイワナ）由来であることを特徴とする前記（１）〜（１８）いずれか記載の魚卵処理剤。
（４２）魚卵が、ニッコウイワナ由来であることを特徴とする前記（１）〜（１８）いずれか記載の魚卵処理剤。
（４３）魚卵が、ヤマトイワナ由来であることを特徴とする前記（１）〜（１８）いずれか記載の魚卵処理剤。
（４４）魚卵が、ゴギ由来であることを特徴とする前記（１）〜（１８）いずれか記載の魚卵処理剤。
（４５）魚卵が、カワマス由来であることを特徴とする前記（１）〜（１８）いずれか記載の魚卵処理剤。
【００５１】
（４６）魚卵が、レイクトラウト由来であることを特徴とする前記（１）〜（１８）いずれか記載の魚卵処理剤。
（４７）魚卵が、イトウ由来であることを特徴とする前記（１）〜（１８）いずれか記載の魚卵処理剤。
（４８）魚卵が、ニシン由来であることを特徴とする前記（１）〜（１８）いずれか記載の魚卵処理剤。
（４９）魚卵が、スケトウダラ由来であることを特徴とする前記（１）〜（１８）いずれか記載の魚卵処理剤。
（５０）魚卵が、トビウオ由来であることを特徴とする前記（１）〜（１８）いずれか記載の魚卵処理剤。
【００５２】
（５１）魚卵が、ワカサギ由来であることを特徴とする前記（１）〜（１８）いずれか記載の魚卵処理剤。
（５２）魚卵が、ハタ由来であることを特徴とする前記（１）〜（１８）いずれか記載の魚卵処理剤。
（５３）魚卵が、ヒラメ由来であることを特徴とする前記（１）〜（１８）いずれか記載の魚卵処理剤。
（５４）魚卵の卵膜軟化を防止することを特徴とする前記（１）〜（５３）いずれか記載の魚卵処理剤。
【００５３】
（５５）魚卵の卵膜軟化症を防止することを特徴とする前記（１）〜（５３）いずれか記載の魚卵処理剤。
（５６）食用魚卵の流通過程での卵膜軟化を防止することを特徴とする前記（１）〜（５３）いずれか記載の魚卵処理剤。
（５７）魚卵処理剤を滴下・かけ流し処理することを特徴とする前記（１）〜（５６）いずれか記載の魚卵処理剤。
（５８）魚卵処理剤を１週間に２回、３０分間の滴下・かけ流し処理することを特徴とする前記（１）〜（５６）いずれか記載の魚卵処理剤。
（５９）魚卵処理剤を浸漬処理することを特徴とする前記（１）〜（５６）いずれか記載の魚卵処理剤。
（６０）魚卵処理剤を１時間、浸漬処理することを特徴とする前記（１）〜（５６）いずれか記載の魚卵処理剤。
【００５４】
（６１）前記（１）〜（６０）いずれか記載の魚卵処理剤で処理して得られた魚卵。
【産業上の利用可能性】
【００５５】
本発明の魚卵処理剤及びこれで処理した魚卵は、魚類の孵化放流事業における受精卵の卵膜軟化防止、取り扱い向上、及び食用魚卵の流通過程での卵膜軟化による歩留まり低下抑制、食感改良及び保存性向上することより食品産業に大いに貢献するものである。